(57)【特許請求の範囲】
【請求項１】
中心線を上下方向に向けた状態でバッテリポストに外嵌される弧状の締付け部と、この締付け部の弧の両端から径方向外向きに前方へ延出する一対の延出部と、この一対の延出部をボルトとナットにより接近させることで前記締付け部を縮径変形させる締付け手段とを備えたバッテリーターミナルにおいて、
前記一対の延出部には、上下一対の一次ストッパと、
この一次ストッパが当接した状態からその一次ストッパまたは前記延出部の変形を伴いつつ前記両延出部の間隔がさらに狭まったときに当接することでその両延出部の接近規制を図る二次ストッパとが形成されており、
上側の前記一次ストッパは、一方の前記延出部の上端縁を他方の前記延出部側へほぼ直角に突出するように曲げ加工した形態のリブと、前記他方の延出部の上縁部に前記リブと対向するように設けた平坦な受け面とからなり、
下側の前記一次ストッパは、前記他方の延出部の下端縁を前記一方の延出部側へほぼ直角に突出するように曲げ加工した形態のリブと、前記一方の延出部の下縁部に前記リブと対向するように設けた平坦な受け面とからなり、
前記一対の延出部の間隔が所定寸法まで狭まったときに、上側の前記リブと上側の前記受け面が当接するとともに、下側の前記リブと下側の前記受け面が当接することでその両延出部の接近規制を図るようになっていることを特徴とするバッテリーターミナル。
【請求項２】
前記二次ストッパによって前記一対の延出部の接近が規制された状態では、変形している前記一次ストッパまたは前記延出部の弾性復元力が前記延出部に対して離間させる力として付与される構成としたことを特徴とする請求項１記載のバッテリーターミナル。
【請求項３】
前記二次ストッパを変形させてその延出部に対する接近規制の機能を失効させるのに要する締付けトルクの値は、前記ボルトを破断させるのに要する締付けトルクの値よりも大きい値に設定されていることを特徴とする請求項１又は請求項２記載のバッテリーターミナル。
【請求項４】
前記二次ストッパは、前記一対の延出部におけるボルト貫通孔の孔縁部を互いに相手側へ向けてバーリング加工して形成した筒状突出部から構成されていることを特徴とする請求項１乃至請求項３のいずれかに記載のバッテリーターミナル。
【発明の詳細な説明】
【０００１】
【発明の属する技術分野】
本発明は、バッテリーターミナルに関するものである。
【０００２】
【従来の技術】
従来のバッテリーターミナルとして、実開平６−８８０５０号公報に開示されているものがある。これは、バッテリポストに外嵌される弧状の締付け部と、この締付け部の弧の両端から径方向外向きに延出する一対の延出部と、この一対の延出部をボルトとナットにより接近させることで前記締付け部を縮径変形させる締付け手段とを備えている。
【０００３】
この種のバッテリーターミナルでは、締付けトルクが過大になると、延出部が異常接近して締付け部の曲率半径が小さくなり過ぎる結果、バッテリポストが異常変形を来すことになる。そこで、通常は、トルク管理がなされる。これにより、適正な締付けトルクによって延出部同士が適切な間隔まで接近し、締付け部の曲率半径も適正な値となってバッテリポストの過度の締付けが回避されるようになっている。
【０００４】
【発明が解決しようとする課題】
しかし、トルク管理されてはいるものの、万一トルクが正常範囲を越えた過大な値になってしまった場合の対策を講じることは必要である。そこで、バッテリポストに対する過度の締付けを防止する手段として、延出部に突起状のストッパを形成し、締付けトルクの値が正常値の範囲内であるうちにストッパを当接させ、締付けトルクが更に増大してもストッパにより延出部同士のそれ以上の接近を規制する構造が考えられる。
しかしながら、締付けトルクがストッパを変形させるほどに増大した場合には、もはやそのストッパによる過度締付け防止の効果は期待できず、信頼性の点で改善が望まれる。
【０００５】
本願発明は上記事情に鑑みて創案され、過度締付け防止機能の信頼性向上を図ることを目的としている。
【０００６】
【課題を解決するための手段】
請求項１の発明は、中心線を上下方向に向けた状態でバッテリポストに外嵌される弧状の締付け部と、この締付け部の弧の両端から径方向外向きに前方へ延出する一対の延出部と、この一対の延出部をボルトとナットにより接近させることで前記締付け部を縮径変形させる締付け手段とを備えたバッテリーターミナルにおいて、前記一対の延出部には、上下一対の一次ストッパと、この一次ストッパが当接した状態からその一次ストッパまたは前記延出部の変形を伴いつつ前記両延出部の間隔がさらに狭まったときに当接することでその両延出部の接近規制を図る二次ストッパとが形成されており、上側の前記一次ストッパは、一方の前記延出部の上端縁を他方の前記延出部側へほぼ直角に突出するように曲げ加工した形態のリブと、前記他方の延出部の上縁部に前記リブと対向するように設けた平坦な受け面とからなり、下側の前記一次ストッパは、前記他方の延出部の下端縁を前記一方の延出部側へほぼ直角に突出するように曲げ加工した形態のリブと、前記一方の延出部の下縁部に前記リブと対向するように設けた平坦な受け面とからなり、前記一対の延出部の間隔が所定寸法まで狭まったときに、上側の前記リブと上側の前記受け面が当接するとともに、下側の前記リブと下側の前記受け面が当接することでその両延出部の接近規制を図るようになっている構成とした。
【０００７】
請求項２の発明は、請求項１の発明において、前記二次ストッパによって前記一対の延出部の接近が規制された状態では、変形している前記一次ストッパまたは前記延出部の弾性復元力が前記延出部に対して離間させる力として付与される構成とした。
請求項３の発明は、請求項１又は請求項２の発明において、前記二次ストッパを変形させてその延出部に対する接近規制の機能を失効させるのに要する締付けトルクの値は、前記ボルトを破断させるのに要する締付けトルクの値よりも大きい値に設定されている構成とした。
【０００８】
請求項４の発明は、請求項１乃至請求項３のいずれかの発明において、前記二次ストッパは、前記一対の延出部におけるボルト貫通孔の孔縁部を互いに相手側へ向けてバーリング加工して形成した筒状突出部から構成されている。
【０００９】
【発明の作用及び効果】
［請求項１の発明］
締付け手段におけるボルトとナットを予め設定されている適正な締付けトルクで締め付けると、一対の延出部が適正間隔まで接近してバッテリポストが適正な強さで締め付けられる。
また、締付けトルクが上記適正値よりも大きくなってしまった場合には、延出部が上記適正間隔よりも狭まるように接近していくが、その延出部の間隔がバッテリポストへの締付けが正常とされる許容範囲内であるうちに、一次ストッパが当接し、それ以上の延出部の接近が規制される。これにより、バッテリポストに対する過度の締付けが防止される。
【００１０】
さらに、締付けトルクが、一次ストッパが耐え得る値よりも大きくなった場合には、一次ストッパまたは延出部の変形を伴いつつ延出部が更に接近するが、その延出部の間隔がバッテリポストへの締付けが正常とされる許容範囲内であるうちに、二次ストッパが当接し、それ以上の延出部の接近が規制される。これにより、バッテリポストに対する締付け力が許容範囲を越えてしまうことが防止される。
【００１１】
一次ストッパに加えて二次ストッパを設けることで二段構えの過度締付け防止機能を備えているので、ストッパが１つだけの場合に比べて過度締付け防止機能の信頼性が高い。
また、一次ストッパのリブは曲げ加工によって形成されているので、成形が簡単である。
［請求項２の発明］
二次ストッパが延出部を接近規制している状態では、一次ストッパまたは延出部の弾性復元力が二次ストッパの接近規制動作を助勢することになるので、二次ストッパが単独で延出部を接近規制する場合に比べて、接近規制の機能に優れる。
【００１２】
［請求項３の発明］
締付けトルクの値が、二次ストッパが耐え得る値よりも大きくなった場合には、締付けトルクが変形を来す前にボルトが破断するので、二次ストッパの変形が防止される。
［請求項４の発明］
二次ストッパの筒状突出部はバーリング加工によって形成されているので、成形が簡単である。また、バーリング加工による筒状突出部は強度的に優れているので、一次ストッパよりも高い強度が要求される二次ストッパとして適している。
【００１３】
【発明の実施の形態】
［実施形態１］
以下、本発明を具体化した実施形態１を図１乃至図７を参照して説明する。
本実施形態の全体概要を簡単に説明すると、バッテリーターミナルＡは、バッテリポストＰに取り付けられるターミナル本体１０、ターミナル本体１０をバッテリポストＰに対して締め付けるための締付け手段１５を備えている。ターミナル本体１０は、バッテリポストＰに外嵌される弧状の締付け部１１と、この締付け部１１の弧の両端から径方向外向きに延出する一対の延出部１２とを一体成形してなり、ターミナル本体１０には、一次ストッパ２２と二次ストッパ２５が形成されているとともに、バッテリーターミナルＡに図示しない電線を接続するためのスタッドボルト１９が取り付けられている。締付け手段１５は、ボルト１６とナット１７とからなり、この螺合させたボルト１６とナット１７を締め付けることにより一対の延出部１２を接近させて締付け部１１を縮径変形させる。
【００１４】
尚、以下の説明において、上下方向については、締付け部１１の中心線方向を上下方向とし、前後方向については締付け部１１からの延出部１２の突出方向を前方とする。
締付け部１１は、その内径を増減させるように径方向に弾性撓みし得るようになっており、自由状態における内径寸法はバッテリポストＰの外径よりも大きく設定されている。また、締付け部１１の上下両端縁には、延出部１２の上下両端縁に連なる補強部１３が形成されている。補強部１３は、外側へ直角に張り出した形態であって、この補強部１３により、両延出部１２と締付け部１１の弧の両端部とがほぼ一体に変位し得るようになっている。
【００１５】
延出部１２は方形の平板状をなし、自由状態においては両延出部１２がその前端側を広げるように互いに斜めに対向している。そして、この両延出部１２を互いに接近させると、締付け部１１の弧の内径が次第に小さくなり、バッテリポストＰの外周に対して締め付けるように嵌合される。また、両延出部１２が接近するのに伴い、双方の対向面同士が徐々に平行となるように姿勢を変化させていく。また、各延出部１２におけるほぼ中央位置には、夫々、互いに相手側の延出部１２側のものと対応するボルト貫通孔１４が形成されている。
【００１６】
締付け手段１５を構成するボルト１６は、雄ネジ部１６Ｓと、この雄ネジ部１６Ｓの一端に一体形成した角形の頭部１６Ｈとからなる。頭部１６Ｈの一辺の寸法は、上下に対応する補強部１３間の間隔よりも僅かに小さい寸法に設定されており、このボルト１６の雄ネジ部１６Ｓをボルト貫通孔１４に貫通させた状態では、頭部１６Ｈの一部が上下両補強部１３の間で殆ど隙間を空けずに挟まれた状態となる。即ち、頭部１６Ｈと補強部１３との係合により、ボルト１６の軸回りの回転が規制されている。また、ナット１７は、ボルト１６の雄ネジ部１６Ｓの先端（頭部１６Ｈとは反対側の延出部１２の外側へ突出した部分）に螺合される。尚、ナット１７と延出部１２との間には座金１８が介装されている。このナット１７を頭部１６Ｈに接近させる方向へ螺進させていくと、ナット１７と頭部１６Ｈとの間で挟み込まれた両延出部１２が接近するように変位し、締付け部１１が縮径変形する。
【００１７】
スタッドボルト１９は、締付け部１１の後端下縁に連成した保持部２０に取り付けられている。保持部２０は低い箱状をなすとともに上面に露出孔２１が形成されており、スタッドボルト１９は、その角形の頭部（図示せず）を保持部２０内に回転規制状態で収容するとともに、雄ネジ部１９Ｓを露出孔２１から上方へ突出させた状態で取り付けられている。かかるスタッドボルト１９には、電線（図示せず）の端末部に固着した取付け金具（図示せず）が嵌合されてナット（図示せず）により固定されるようになっている。
【００１８】
延出部１２には、リブ２３と受け面２４とからなる一次ストッパ２２が上下一対形成されている。上側の一次ストッパ２２において、リブ２３は、一方（図４〜図６においては左側）の延出部１２の上端縁を曲げ加工することによりその延出部１２から相手側の延出部１２側（図４〜図６における右側）へほぼ直角に突き出す形態とされ、一方、上端にリブ２３の形成されていない側（図４〜図６における右側）の延出部１２の内面におけるリブ２３の先端と対向する上端縁部分が、受け面２４として設定されている。尚、この受け面２４の形成されている上端縁には補強部１３が曲げ成形されていないため、受け面２４はその全領域に亘って平坦状となっている。
【００１９】
下側の一次ストッパ２２において、リブ２３は、一方（図４〜図６においては右側）の延出部１２の下端縁を曲げ加工することによりその延出部１２から相手側の延出部１２側（図４〜図６における左側）へほぼ直角に突き出す形態とされ、一方、上端にリブ２３の形成されていない側（図４〜図６における左側）の延出部１２の内面におけるリブ２３の先端と対向する下端縁部分が、受け面２４として設定されている。尚、この受け面２４の形成されている下端縁には補強部１３が曲げ成形されていないため、受け面２４はその全領域に亘って平坦状となっている。
【００２０】
これらの一次ストッパ２２は、延出部１２が所定の距離まで接近したところで、対向するリブ２３と受け面２４とが当接し、これによって両延出部１２のそれ以上の接近を規制する機能が発揮される。
二次ストッパ２５は、両延出部１２に形成した一対の筒状突出部２６から構成されている。筒状突出部２６は、ボルト貫通孔１４の孔縁部に対してバーリング加工を施すことによって形成され、延出部１２の内面から相手側の筒状突出部２６へ向かって打ち向きに突出されている。双方の筒状突出部２６の径寸法は互いに同寸法とされている。また、上記一次ストッパ２２のリブ２３と受け面２４との間の対向寸法に対し、この両筒状突出部２６の突出端間の対向寸法は大きく設定されている。この二次ストッパ２５は、延出部１２が所定の距離まで接近したところで、筒状突出部２６の突出端同士が当接し、これによって両延出部１２のそれ以上の接近を規制する機能が発揮される。
【００２１】
次に、本実施形態の作用を説明する。
本実施形態のバッテリーターミナルＡをバッテリポストＰに取り付けるに際しては、予め、ボルト１６とナット１７の締付けトルクが適正な値に設定される。そして、締付け部１１をバッテリポストＰに遊嵌した状態でボルト１６とナット１７をこの適正な締付けトルクで締め付けると、一対の延出部１２が適正間隔まで接近してバッテリポストＰが適正な強さで締め付けられる。このとき、一次ストッパ２２のリブ２３と受け面２４は当接せず、二次ストッパ２５の筒状突出部２６同士も離間したままである。
【００２２】
さて、締付けトルクが、誤って上記適正値よりも大きくなってしまった場合には、延出部１２が上記適正間隔よりも狭まるように接近していくが、その延出部１２の間隔がバッテリポストＰへの締付けが正常とされる許容範囲内であるうちに、図３及び図５に示すように、一次ストッパ２２のリブ２３と受け面２４とが当接し、それ以上の延出部１２の接近が規制される。これにより、バッテリポストＰに対する過度の締付けが防止される。
【００２３】
また、締付けトルクが、一次ストッパ２２が耐え得る値よりも大きくなった場合には、リブ２３が変位せずに受け面２４に当接した状態を保ちつつ、延出部１２がその上下方向における中央部（ボルト貫通孔１４の形成されている部分）同士を互いに接近させるように湾曲変形する。そして、その延出部１２の中央部分同士の間隔が所定間隔まで接近すると、図６に示すように、二次ストッパ２５の筒状突出部２６の突出端同士が当接し、延出部１２の中央部分がそれ以上接近することが規制される。
【００２４】
この二次ストッパ２５の当接状態では、延出部１２の周縁部同士の間隔は一次ストッパ２２が当接したときのままであるから、締付け部１１の内径が小さくなることはない。よって一次ストッパ２２の当接状態から二次ストッパ２５の当接状態へ至る過程では、バッテリポストＰへの締付け力が増大することはなく、正常な締付け状態が維持される。即ち、一次ストッパ２２による過度締付け防止機能が働かなくなっても、二次ストッパ２５によって過度の締付けが確実に防止される。
【００２５】
このように、本実施形態においては、一次ストッパ２２に加えて二次ストッパ２５を設けることで二段構えの過度締付け防止機能を備えているので、ストッパが１つだけの場合に比べて過度締付け防止機能の信頼性が高い。
また、二次ストッパ２５によって両延出部１２の接近が規制された状態では、湾曲変形している延出部１２の弾性復元力が、その延出部１２の中央部を離間させる力（湾曲変形を戻そうとする力）として働く。即ち、二次ストッパ２５が延出部１２を接近規制している状態では、延出部１２の弾性復元力が二次ストッパ２５の接近規制動作を助勢することになる。したがって、二次ストッパ２５が単独で延出部１２を接近規制する場合に比べて、接近規制の機能に優れる。
【００２６】
また、二次ストッパ２５の筒状突出部２６を変形させてその延出部１２に対する接近規制の機能を失効させるのに要する締付けトルクの値は、ボルト１６を破断させるのに要する締付けトルクの値よりも大きい値に設定されている。したがって、締付けトルクの値が、二次ストッパ２５が耐え得る値よりも大きくなった場合には、締付けトルクが変形を来す前にボルト１６が破断し、筒状突出部２６同士の突き当て状態が解除されることになる。これにより、筒状突出部２６の変形が防止されるのである。
【００２７】
また、一次ストッパ２２のリブ２３は曲げ加工によって形成されているので、成形が簡単である。
一方、二次ストッパ２５の筒状突出部２６はバーリング加工によって形成されているので、やはり、成形が簡単である。また、バーリング加工による筒状突出部２６は、直角曲げ加工によるリブ形状のものに比べると強度的に優れているので、一次ストッパ２２よりも高い強度が要求される二次ストッパ２５として適している。
【００２８】
［実施形態２］
次に、本発明を具体化した実施形態２を図８及び図９を参照して説明する。
本実施形態のバッテリーターミナルＢは、一次ストッパ２２を上記実施形態１とは異なる構成としたものである。その他の構成については上記実施形態１と同じであるため、同じ構成については、同一符号を付し、構造、作用及び効果の説明は省略する。
上側の一次ストッパ２２を構成する受け面２４の形成されている側（図９における右側）の延出部１２においては、その上端縁を外側へ曲げ加工することによってボルト１６の頭部１６Ｈの回転規制部２７が形成されており、その曲げ部分（延出部１２の上端縁部）における内面は弧状面２７Ｒとなっている。したがって、この延出部１２における受け面２４は、弧状をなす上端縁よりも少し下方の平坦な領域に設定されている。
【００２９】
下側の一次ストッパ２２についても、同様に、受け面２４側の延出部１２の下端縁に座金１８の回転を規制するための回転規制部２７が外側へ曲げ加工されて形成されており、その曲げ加工部分である下端縁部は弧状面２７Ｒとなっている。したがって、リブ２３が当接される受け面２４は、この弧状面２７Ｒよりも少し上方の平坦な領域に設定されている。
このように、本実施形態２では、受け面２４の形成される領域に回転規制部２７を形成しながら、リブ２３を受け面２４に対して確実に且つ安定して当接させることが可能となっている。
【００３０】
尚、ボルト貫通孔１４の孔縁には、実施形態１と同様に二次ストッパ２５としての筒状突出部２６が形成されている。
［参考例１］
次に、本発明の参考例１を図１０及び図１１を参照して説明する。本参考例１のバッテリーターミナルＣは、締付け部３１と、締付け部３１の弧の両端から径方向外側へ突出する一対の延出部３２と、一方の延出部３２の延出端をさらに延長させて形成したバレル部３３とからなる。バレル部３３には、電線（図示せず）が圧着により接続される。また、一次ストッパ３４はリブ３５と受け面３６とからなり、リブ３５は、バレル部３３の形成されていない側の延出部３２の延出端縁を内側へ略直角に曲げ加工して形成され、受け面３６については、バレル部３３の形成されている側の延出部１２の内面が受け面３６として設定されている。また、締付け部３１の上端縁から延出部３２の上端縁に亘り更にリブ３５の上端縁に亘る領域には、外側へリブ状に張り出す補強部３７が形成されている。下端縁においても、同様に補強部３７が形成されている。この補強部３７は、締付け部３１の弧の両端部と延出部３２とを一体変位させるための機能だけでなく、延出部３２においては図示しないボルトの角形頭部の回転を規制する機能を発揮する。さらに、補強部３７により、リブ３５の延出部３２に対する傾動変位が規制され、もってリブ３５と受け面３６による延出部３２同士の接近規制機能が確実に発揮されるようになっている。尚、ボルト貫通孔３８の孔縁には、実施形態１と同様に二次ストッパ３９としての筒状突出部４０が形成されている。
【００３１】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では一次ストッパを延出部の端縁を曲げ加工により形成するとともに二次ストッパをボルト貫通孔の孔縁をバーリング加工することにより形成したが、本発明によれば、一次ストッパと二次ストッパは、これ以外の位置及び加工方法によって形成することができる。
【００３２】
（２）上記実施形態では二次ストッパを構成する筒状突出部を一対の延出部の双方に形成したが、本発明によれば、いずれか一方の延出部のみに筒状突出部を形成してもよい。
（３）上記実施形態では二次ストッパが当接した状態では延出部が変形してその弾性復元力が締付けトルクに抗する反力してい機能するようにしたが、本発明によれば、一次ストッパが変形してその当接が解除されることにより延出部が変形しない状態（延出部の弾性復元力が働かない状態）で二次ストッパが当接するようにしてもよい。
【図面の簡単な説明】
【図１】実施形態１の斜視図
【図２】平面図
【図３】一次ストッパが当接した状態の平面図
【図４】側面図
【図５】一次ストッパが当接した状態の側面図
【図６】二次ストッパが当接した状態の側面図
【図７】底面図
【図８】実施形態２の斜視図
【図９】その一次ストッパが当接した状態の側面図
【図１０】参考例１の側面図
【図１１】その底面図
【符号の説明】
Ａ…バッテリーターミナル
Ｐ…バッテリポスト
１１…締付け部
１２…延出部
１４…ボルト貫通孔
１５…締付け手段
１６…ボルト
１７…ナット
２２…一次ストッパ
２３…リブ
２４…受け面
２５…二次ストッパ
２６…筒状突出部
Ｂ，Ｃ…バッテリーターミナル
３１…締付け部
３２…延出部
３４…一次ストッパ
３５…リブ
３６…受け面
３８…ボルト貫通孔
３９…二次ストッパ
４０…筒状突出部
【図１】
0003622615.tif 000002
【図２】
0003622615.tif 000003
【図３】
0003622615.tif 000004
【図４】
0003622615.tif 000005
【図５】
0003622615.tif 000006
【図６】
0003622615.tif 000007
【図７】
0003622615.tif 000008
【図８】
0003622615.tif 000009
【図９】
0003622615.tif 000010
【図１０】
0003622615.tif 000011
【図１１】
0003622615.tif 000012